(57)【要約】【課題】文字等をベルトに縫い込み状態で設けることにより、長期に亘り鮮明な文字等を容易に得てベルトの耐久性を向上させ得ると共に、ベルト自体の意匠性を向上させ得る織物ベルトを提供する。【解決手段】第１細幅織物層と該第１細幅織物層の表面側に積層されたリボン状の第２細幅織物層とを備え、両細幅織物層の所定位置が綴じ糸で綴じられて一体化された織物ベルトであって、第２細幅織物層の表面に、文字糸が第１細幅織物層の裏面に露出しないように文字等が織り込まれていることを特徴とする。前記第１細幅織物層が内外の織物層を有して両織物層が綴じ糸で綴じられると共に、第１細幅織物層の幅方向の両端部に第２細幅織物層の幅方向の両端部が綴じ糸で綴じられる。【選択図】  図６
2007138308.tif 000002
【特許請求の範囲】
【請求項１】
第１細幅織物層と該第１細幅織物層の表面側に積層された第２細幅織物層とを備え、両細幅織物層の所定位置が綴じ糸で綴じられて一体化された織物ベルトであって、
前記第２細幅織物層の表面に、文字糸が第１細幅織物層の裏面に露出しないように文字等が織り込まれていることを特徴とする織物ベルト。
【請求項２】
前記第１細幅織物層が内外の織物層を有して両織物層が綴じ糸で綴じられると共に、第１細幅織物層の幅方向の両端部に前記第２細幅織物層の幅方向の両端部が綴じ糸で綴じられていることを特徴とする請求項１に記載の織物ベルト。
【請求項３】
前記第２細幅織物層は、第１細幅織物層と同時に織り込まれて一体形成されるか、もしくはリボン状に別体で形成されて第１細幅織物層に織り込まれて一体形成されていることを特徴とする請求項１または２に記載の織物ベルト。
【発明の詳細な説明】
【技術分野】
【０００１】
本発明は、織物によって帯状に形成された織物ベルトに係わり、特にベルトの表面に文字等が縫い込み状態で設けられた織物ベルトに関する。
【背景技術】
【０００２】
従来、例えば２枚の織物ベルトを重ね合わせ、所定位置をミシン糸で縫い付けて一体化し、これを牽引用ベルトとして使用すること等が行われている。そして、この牽引用の織物ベルトの場合、織物ベルトの表面に注意書きや持ち主の会社名等の文字を印刷して使用者に認識させたり宣伝するようにしている。なお、織物ベルトに関する公報としては、例えば特許文献１に開示のものが知られている。
【特許文献１】特許第３０４７０１９号公報
【発明の開示】
【発明が解決しようとする課題】
【０００３】
しかしながら、このような織物ベルトにあっては、注意書きや会社名等の文字あるいは注意を感化する記号や模様、図柄等（以下、これらを文字等という）が、ベルト表面に印刷によって付与されているため、使用とともに文字等が剥がれて消えてしまう等、織物ベルトに長期に亘り鮮明な文字等を得ることが難しく、その耐久性を十分に向上させることが困難である。
【０００４】
本発明は、このような事情に鑑みてなされたもので、その目的は、文字等をベルトに縫い込み状態で設けることにより、長期に亘り鮮明な文字等を容易に得て耐久性を向上させ得ると共に、ベルト自体の意匠性を向上させ得る織物ベルトを提供することにある。
【課題を解決するための手段】
【０００５】
かかる目的を達成すべく、本発明のうち請求項１に記載の発明は、第１細幅織物層と該第１細幅織物層の表面側に積層された第２細幅織物層とを備え、両細幅織物層の所定位置が綴じ糸で綴じられて一体化された織物ベルトであって、前記第２細幅織物層の表面に、文字糸が第１細幅織物層の裏面に露出しないように文字等が織り込まれていることを特徴とする。
【０００６】
また、請求項２に記載の発明は、前記第１細幅織物層が内外の織物層を有して両織物層が綴じ糸で綴じられると共に、第１細幅織物層の幅方向の両端部に前記第２細幅織物層の幅方向の両端部が綴じ糸で綴じられていることを特徴とする。さらに、請求項３に記載の発明は、前記第２細幅織物層が、第１細幅織物層と同時に織り込まれて一体形成されるか、もしくはリボン状に別体で形成されて第１細幅織物層に織り込まれて一体形成されていることを特徴とする。
【発明の効果】
【０００７】
本発明のうち請求項１に記載の発明によれば、第１細幅織物層の表面側に積層される第２細幅織物層の表面に、文字糸が第１細幅織物層の裏面に露出しないように文字等が織り込まれているため、文字等を織物ベルトに縫い込み状態で設けることができて、長期に亘り鮮明な文字等を容易に得て織物ベルトの耐久性を向上させることができると共に、文字糸の裏面への露出がなくなり、織物ベルト自体の意匠性を向上させることができる。
【０００８】
また、請求項２に記載の発明によれば、請求項１に記載の発明の効果に加え、第１細幅織物層が内外の織物層を有して両織物層が綴じ糸で綴じられると共に、第１細幅織物層の幅方向の両端部に第２細幅織物層の幅方向の両端部が綴じ糸で綴じられているため、２層構造の第１細幅織物層の強度を高めることができて、織物ベルトの耐久性を一層向上させることができる。
【０００９】
さらに、請求項３に記載の発明によれば、請求項１または２に記載の発明の効果に加え、第２細幅織物層が、第１細幅織物層と同時に織り込まれて一体形成されるか、もしくはリボン状に別体で形成されて第１細幅織物層に織り込まれて一体形成されているため、各種形態の第２細幅織物層を使用できて、織物ベルト自体の汎用性を高めることができる。
【発明を実施するための最良の形態】
【００１０】
以下、本発明の実施の形態を図面に基づいて詳細に説明する。
図１〜図７は、本発明に係わる織物ベルトの一実施形態を示し、図１がその斜視図、図２が一部破断した平面図、図３が概略断面図、図４及び図５が長手方向の組織図、図６及び図７が幅方向の組織図である。
【００１１】
図１〜図３に示すように、織物ベルト１は、裏面１ｂ側に位置する第１細幅織物層２と、この第１細幅織物層２の表面側に積層状態で一体化されたリボン状の第２細幅織物層３とで構成されている。この時、第１細幅織物層２の幅Ｗ１は第２細幅織物層３の幅Ｗ２より所定寸法大きく設定され、第２細幅織物層３が第１細幅織物層２の幅方向の略中間位置に、第２細幅織物層２の例えば幅方向両端部が綴じ糸４（図４等参照）で長手方向に綴じられることによって、第１細幅織物層２に対して第２細幅織物層３が一体化されている。
【００１２】
また、前記第２細幅織物層３の表面（織物ベルト１の表面１ａ）には、所定の文字５が織り込みによって付与されている。この文字５としては、例えば注意書きや会社の名称、織物ベルト１の商標等であり、文字５の色が第２細幅織物層３の色調と異なる色調に設定されることにより、明瞭に識別されて視認されるようになっている。
【００１３】
図４〜図７は、この織物ベルト１の組織図を示している。以下、これについて説明する。先ず、前記第１細幅織物層２は、横糸６ａ、７ａと縦糸６ｂ、７ｂからなる内織物層６と外織物層７の二層の織物で構成されて、これらが綴じ糸８で綴じられると共に、前記第２細幅織物層３は、横糸３ａと縦糸３ｂからなる一層の織物で構成されている。
【００１４】
そして、織物ベルト１の長手方向で第２細幅織物層３の幅方向両端部においては、図４に示すように、第２細幅織物層３と第１細幅織物層２の例えば外織物層７とが前記綴じ糸４により綴じられて一体化されている。この時、綴じ糸４は、第１細幅織物層２の外面となる織物ベルト１の裏面１ｂに露出させても良いし、第１細幅織物層２の内外織物層６、７間に位置させて隠すようにしても良い。また、織物ベルト１の長手方向で第２細幅織物層３の幅方向両端部以外の部分においては、図５に示すように、第２細幅織物層３と第１細幅織物層２は前記綴じ糸４で綴じられることなく、それぞれ別体となっている。
【００１５】
一方、織物ベルト１の幅方向で文字５が織り込まれている部分は、図６に示すように、第２細幅織物層３が文字糸９と例えば横糸３ａで織られ、前記縦糸３ｂは第２細幅織物層３の裏面側（内側）に位置して第２細幅織物層３の表面（すなわち織物ベルト１の表面１ａ）から視認されない隠れた状態となっている。また、織物ベルト１の幅方向で文字５が織り込まれていない部分は、図７に示すように、第２細幅織物層３が横糸３ａと縦糸３ｂで織られ、前記文字糸９は第２細幅織物層３の裏面側に位置して、文字糸９が織物ベルト１の裏面１ｂ側に露出せず織物ベルト１内に隠れた状態となっている。
【００１６】
そして、このような組織をもった前記織物ベルト１は、ＮＣ制御（座標制御）が可能なニードル織機等によって自動的に製造される。このように構成された織物ベルト１は、例えば引っ越し袋の締結ベルトや牽引ベルトとして使用され、その際、織物ベルト１の表面１ａに設けた注意書き等の文字５により、使用者が作業を注意しつつ安全かつ良好に行えることになる。なお、以上の例では、第２細幅織物層３として第１細幅織物層２と別体で予め織られたリボン状の織物を使用したが、例えば第２細幅織物層３を第１細幅織物層２に同時に織り込むこともでき、この場合は、第２細幅織物層３に織り込まれる文字糸９を第１細幅織物層２の内織物層６と外織物層７間に位置させて隠すこともできる。
【００１７】
このように、上記実施形態の織物ベルト１にあっては、第１細幅織物層２上に積層される第２細幅織物層３の表面に、文字糸９が第１細幅織物層２の外面である織物ベルト１の裏面１ｂ側に露出しないようにして文字５が織り込まれているため、文字５を織物ベルトに縫い込み状態で設けることができて、長期に亘り鮮明な文字５を容易に得ることができ、織物ベルト１の耐久性を十分に向上させることが可能となる。
【００１８】
また、第１細幅織物層２が内外の織物層６、７を有して両織物層６、７が綴じ糸８で綴じられると共に、第１細幅織物層２の幅方向の両端部に第２細幅織物３の幅方向両端部が綴じ糸４で綴じられているため、第１細幅織物層２を二層構造としてその強度を高めることができて、織物ベルト１の耐久性を一層向上させ、例えば牽引用ベルトとして好適に使用することができる。
【００１９】
さらに、第１細幅織物層２上に文字５が織り込まれた第２細幅織物層３が綴じ糸４で織り込まれて一体化されているため、文字５を形成する文字糸９の織物ベルト１の外面である裏面１ｂ側への露出がなくなり、織物ベルト１の裏面１ｂをすっきりさせて、織物ベルト１自体の意匠性を向上させることができる。特に、綴じ糸４を二層構造の第１細幅織物層２の内外織物層６、７間に位置させるようにすれば、両細幅織物層２、３を綴じる綴じ糸４の織物ベルト１の裏面１ｂへの露出をなくして、該織物ベルト１の意匠性を一層向上させることができる。
【００２０】
また、予めリボン状に別体で形成された第２細幅織物層３が、第１細幅織物層２に織り込まれて一体形成されているため、各種の文字５が織り込まれた第２細幅織物層２を使用して、織物ベルト１自体に所望の文字５等を簡単に付与することができる。その結果、織物ベルト１を各種ベルトに適用できる等、織物ベルト１の汎用性を十分に高めることが可能となる。
【００２１】
図８及び図９は、本発明に係わる織物ベルト１の他の実施形態を示す平面図及びその組織図である。以下、上記実施形態と同一部位には同一符号を付して説明する。この実施形態の特徴は、第２細幅織物層３に例えば図柄１０を織り込むと共に、この図柄１０が織り込まれていない非図柄部分１１にも文字糸９を同時に織り込むようにした点にある。すなわち、図柄１０が織り込まれる部分は、上記実施形態と同様に文字糸９と横糸３ａが織り込まれ、非図柄部分１１は、文字糸９を縦糸３ｂと共に横糸３ａで織り込む。これにより、非図柄部分１１に、文字糸９とこの文字糸９と色調の異なる縦糸３ｂが共に露出する状態となって、全体に模様が付与された第２細幅織物層３が得られることになる。
【００２２】
この例の場合、図柄１０としては注意書き等を表すマークでも良いし、適宜の模様、色調でも良く、これらの組み合わせで良い。この実施形態の織物ベルト１においても、図柄１０が織り込まれた第２細幅織物層３により、上記実施形態と同様の作用効果を得ることができると共に、第２細幅織物層３の意匠性を高めて、デザイン的に優れた織物ベルト１が簡単かつ安価に得られる等の作用効果を奏することができる。
【００２３】
なお、上記実施形態においては、文字４や図柄１０が縫い込まれる第２細幅織物層３の幅Ｗ２が第１細幅織物層１の幅Ｗ１より所定寸法小さい場合について説明したが、本発明はこの例に限定されず、例えば第１細幅織物層２と第２細幅織物層３の幅Ｗ１、Ｗ２を同一に設定しても良いし、第２細幅織物層３を第１細幅織物層２の長手方向に対して部分的に一体化した構成とすることもできる。また、第２細幅織物層３の第１細幅織物層２への綴じ糸４による綴じ位置も幅方向両端部に限らず、織物ベルト１に要求される性能等に応じて所定幅の帯状や全面とする等、適宜の形態を採用することができる。
【００２４】
さらに、上記実施形態においては、織物ベルト１の表面１ａ側に文字４や図柄１０を織り込んだ第２細幅織物層３を一体化した場合について説明したが、例えば織物ベルト１の裏面１ｂ側にも同じもしくは異なる文字４や図柄１０を織り込んだ第２細幅織物層３を一体化した織物ベルト１でも良い。また、上記実施形態における、織物ベルト１自体の構成やその組織図等も一例であって、例えば第１細幅織物層２を一層構造としたり第２細幅織物層を二層構造や三層以上の構造とする等、本発明の各発明に係わる要旨を逸脱しない範囲において、適宜に変更することができる。
【産業上の利用可能性】
【００２５】
本発明は、牽引用ベルトや引っ越し袋用の締結ベルトへの利用に限らず、あらゆるベルトに利用できる。
【図面の簡単な説明】
【００２６】
【図１】本発明に係わる織物ベルトを示す斜視図
【図２】同その一部破断した平面図
【図３】同図２のＡ−Ａ線に沿った概略断面図
【図４】同長手方向の組織図
【図５】同長手方向の他の部分の組織図
【図６】同幅方向の組織図
【図７】同幅方向の他の部分の組織図
【図８】本発明に係わる織物ベルトの他の実施形態を示す平面図
【図９】同その幅方向の組織図
【符号の説明】
【００２７】
１・・・織物ベルト、１ａ・・・表面、１ｂ・・・裏面、２・・・第１細幅織物層、３・・・第２細幅織物層、３ａ・・・横糸、３ｂ・・・縦糸、４・・・文字、５・・・綴じ糸、６・・・内織物層、６ａ・・・横糸、６ｂ・・・縦糸、７・・・外織物層、７ａ・・・横糸、７ｂ・・・縦糸、８・・・綴じ糸、９・・・文字糸、１０・・・図柄。
【図１】
2007138308.tif 000003
【図２】
2007138308.tif 000004
【図３】
2007138308.tif 000005
【図４】
2007138308.tif 000006
【図５】
2007138308.tif 000007
【図６】
2007138308.tif 000008
【図７】
2007138308.tif 000009
【図８】
2007138308.tif 000010
【図９】
2007138308.tif 000011